(57)【要約】【課題】洗浄槽２の上面を開閉するシール蓋を上昇した開位置と降下した閉位置との間で平行移動させるリンク５１を備える食器洗浄機であって、洗浄槽に、リンク５１に設けられた係合部５３に当接可能なカム部材６１が設けられ、カム部材６１は、後方に向かって上方に傾斜した傾斜部を有し、洗浄槽２をハウジング内の収納位置に向けて後方に移動させる際に、傾斜部が係合部５３に当接して、リンク５１がシール蓋を開位置から閉位置に降下させるように動作するものにおいて、洗浄槽の押し込みに要する操作力を軽減して、且つ、シール蓋による洗浄槽のシール性も確保できるようにする。【解決手段】カム部材６１の傾斜部を、比較的大きな傾斜角度θ１を持つ第１傾斜部６１と、その前方に位置する比較的小さな傾斜角度θ２を持つ第２傾斜部６２とから成るものとし、第２傾斜部６２が係合部５３に当接した状態で洗浄槽２が収納位置に到達するように構成する。【選択図】図４
2018117869.tif 000002
【特許請求の範囲】
【請求項１】
前面が開放されたハウジングと、ハウジング内に前方に引出し自在に収納される、食器類を収納可能な上面が開放された洗浄槽と、ハウジング内に設けられる、洗浄槽の上面を開閉するシール蓋と、シール蓋を上昇した開位置と降下した閉位置との間で平行移動させるリンク機構とを備える食器洗浄機であって、洗浄槽に、リンク機構に設けられた係合部に当接可能なカム部材が設けられ、カム部材は、後方に向かって上方に傾斜した傾斜部を有し、洗浄槽をハウジング内の収納位置に向けて後方に移動させる際に、傾斜部が係合部に当接して、リンク機構がシール蓋を開位置から閉位置に降下させるように動作するものにおいて、
傾斜部は、第１傾斜部と、第１傾斜部の前方に位置する第２傾斜部とから成り、後方に向かって上方への傾斜角度を後上り傾斜角度として、第２傾斜部は、第１傾斜部の後上り傾斜角度よりも小さな一定の後上り傾斜角度を持つ直線状傾斜部に形成されるか、又は、第２傾斜部の各箇所の接線のうち後上り傾斜角度が最大の接線の後上り傾斜角度が第１傾斜部の後上り傾斜角度よりも小さくなる曲線状傾斜部に形成され、第２傾斜部が係合部に当接した状態で洗浄槽が収納位置に到達することを特徴とする食器洗浄機。
【発明の詳細な説明】
【技術分野】
【０００１】
本発明は、前面が開放されたハウジングと、ハウジング内に前方に引出し自在に収納される、食器類を収納可能な上面が開放された洗浄槽と、ハウジング内に設けられる、洗浄槽の上面を開閉するシール蓋とを備える食器洗浄機に関する。
【背景技術】
【０００２】
従来、この種の食器洗浄機として、特許文献１により、シール蓋を上昇した開位置と降下した閉位置との間で平行移動させるリンク機構を設けると共に、洗浄槽に、リンク機構に設けられた係合部に当接可能なカム部材を設けたものが知られている。カム部材は、後方に向かって上方に傾斜した傾斜部を有し、洗浄槽をハウジング内の収納位置に向けて後方に移動させる際に、傾斜部が係合部に当接して、リンク機構がシール蓋を開位置から閉位置に降下させるように動作する。また、カム部材は、傾斜部の前端から前方に水平にのびる水平部を有しており、水平部が係合部に当接した状態で洗浄槽が収納位置に到達するようにしている。
【０００３】
上記従来例のものでは、傾斜部の前端が係合部に当接してシール蓋が最も降下した状態になった後、この状態のまま水平部が係合部に当接して、洗浄槽が収納位置に到達することになる。ここで、シール蓋が最も降下した状態では、シール蓋の下面のパッキンが洗浄槽の上端に当接して最も圧縮された状態になり、洗浄槽の押し込みに対する抵抗力が最大になる。その結果、上記従来例では、洗浄槽の押し込みに対する抵抗力が最大になった状態のまま洗浄槽を収納位置まで押し込むことが必要になり、洗浄槽の押し込みに要する操作力が大きくなり過ぎて、操作性が悪くなる。
【０００４】
これに対し、傾斜部が係合部に当接した状態のまま洗浄槽が収納部に到達するように構成すれば、洗浄槽の押し込みに要する操作力を軽減して、操作性を改善できる。然し、これでは、リンク機構の組付けのばらつきにより、洗浄槽の収納位置で係合部に当接する傾斜部の箇所が前後方向に変位すると、シール蓋の降下量が大きく変化して、シール蓋による洗浄槽のシール性を確保できなくなるという不具合を生ずる。
【先行技術文献】
【特許文献】
【０００５】
【特許文献１】特開２００２−１６５７４４号公報
【発明の概要】
【発明が解決しようとする課題】
【０００６】
本発明は、以上の点に鑑み、洗浄槽の押し込みに要する操作力を軽減して、且つ、シール蓋による洗浄槽のシール性も確保できるようにした食器洗浄機を提供することをその課題としている。
【課題を解決するための手段】
【０００７】
上記課題を解決するために、本発明は、前面が開放されたハウジングと、ハウジング内に前方に引出し自在に収納される、食器類を収納可能な上面が開放された洗浄槽と、ハウジング内に設けられる、洗浄槽の上面を開閉するシール蓋と、シール蓋を上昇した開位置と降下した閉位置との間で平行移動させるリンク機構とを備える食器洗浄機であって、洗浄槽に、リンク機構に設けられた係合部に当接可能なカム部材が設けられ、カム部材は、後方に向かって上方に傾斜した傾斜部を有し、洗浄槽をハウジング内の収納位置に向けて後方に移動させる際に、傾斜部が係合部に当接して、リンク機構がシール蓋を開位置から閉位置に降下させるように動作するものにおいて、傾斜部は、第１傾斜部と、第１傾斜部の前方に位置する第２傾斜部とから成り、後方に向かって上方への傾斜角度を後上り傾斜角度として、第２傾斜部は、第１傾斜部の後上り傾斜角度よりも小さな一定の後上り傾斜角度を持つ直線状傾斜部に形成されるか、又は、第２傾斜部の各箇所の接線のうち後上り傾斜角度が最大の接線の後上り傾斜角度が第１傾斜部の後上り傾斜角度よりも小さくなる曲線状傾斜部に形成され、第２傾斜部が係合部に当接した状態で洗浄槽が収納位置に到達することを特徴とする。
【０００８】
本発明によれば、洗浄槽が収納位置に到達するときに、係合部に当接するのが、従来例の如く傾斜部の前端から前方にのびる水平部ではなく、傾斜部の一部を構成する第２傾斜部になるため、洗浄槽の押し込みに要する操作力を軽減して、操作性を改善できる。また、リンク機構の組付けのばらつきにより、洗浄槽の収納位置で係合部に当接する第２傾斜部の箇所が前後方向に変位しても、第２傾斜部の後上り傾斜角度が比較的小さいため、シール蓋の降下量の変化幅が少なくなり、シール蓋による洗浄槽のシール性を確保できる。
【図面の簡単な説明】
【０００９】
【図１】本発明の実施形態の食器洗浄機の洗浄槽を引き出した状態の斜視図。
【図２】実施形態の食器洗浄機の洗浄槽を収納位置に押し込んだ状態の要部の側面図。
【図３】図２のＩＩＩ−ＩＩＩ線で切断した要部の断面図。
【図４】実施形態の食器洗浄機のカム部材を示す側面図。
【図５】カム部材の他の例を示す側面図。
【図６】カム部材の更に他の例を示す側面図。
【発明を実施するための形態】
【００１０】
図１を参照して、本発明の実施形態の食器洗浄機は、前面が開放されたハウジング１と、ハウジング１内に前方に引出し自在に収納される洗浄槽２とを備えている。洗浄槽２は、上面が開放されており、ハウジング１から洗浄槽２を引き出した状態で洗浄槽２内に上方から食器類を出し入れする。洗浄槽２の前面には、洗浄槽２をハウジング１内の収納位置まで押し込んだときにハウジング１の前面を閉塞する前面扉３が固定されている。前面扉３の上部には、把手部３１が設けられており、この把手部３１に、洗浄槽２を収納位置に係止するロック部材が組み込まれている。また、図示省略するが、洗浄槽２内には、食器類を載置する食器かごと、食器かごに向けて洗浄水を噴射する洗浄ノズルとが設置されている。
【００１１】
図２、図３を参照して、食器洗浄機は、更に、ハウジング１内に設けられる、洗浄槽２の上面を開閉するシール蓋４と、シール蓋４を上昇した開位置と降下した閉位置との間で平行移動させるリンク機構とを備えている。シール蓋４の下面周縁部にはパッキン４１が取付けられている。そして、シール蓋４を閉位置に降下させる際に、パッキン４１が洗浄槽２の上端に当接して圧縮され、洗浄槽２のシール性が確保されるようにしている。
【００１２】
リンク機構は、横方向各側に配置した前後一対のリンク５１，５２で構成されている。各リンク５１，５２は、下部の軸５１でハウジング１の側板部に枢着されると共に、上部の軸５２でシール蓋４の外周に固定した蓋枠４２に枢着されている。また、シール蓋４は、ハウジング１の上板部との間に張設したバネ４３で前方に付勢されている。そして、洗浄槽２をハウジング１内から前方に引き出す際に、バネ４３の付勢力によりシール蓋４を介して前後の各リンク５１，５２が前方に揺動して、シール蓋４が開位置に上昇するようにしている。尚、後リンク５２は前リンク５１よりも下方に設けられている。そのため、蓋枠４２の後部に下方にのびる垂下部４２ａを設けて、この垂下部４２ａに後リンク５２を軸５２で枢着している。
【００１３】
また、前後の各リンク５１，５２には、横方向内方に突出する円筒状の係合部５３が設けられ、洗浄槽２の側壁部外面には、前後の各リンク５１，５２の係合部５３に当接可能な前後の各カム部材６１，６２が設けられている。各カム部材６１，６２は、後方に向かって上方に傾斜した傾斜部を有している。そして、洗浄槽２をハウジング１内の収納位置に向けて後方に移動させる際に、前後の各カム部材６１，６２の傾斜部が前後の各リンク５１，５２の係合部５３に当接して、各リンク５１，５２が後方に揺動し、シール蓋４が閉位置に降下する。
【００１４】
図４を参照して、各カム部材６１，６２の傾斜部は、第１傾斜部６１と、第１傾斜部６１の前方に位置する第２傾斜部６２とから成る。後方に向かって上方への傾斜角度を後上り傾斜角度として、第２傾斜部６２は、第１傾斜部６１の後上り傾斜角度θ１よりも小さな一定の後上り傾斜角度θ２を持つ直線状傾斜部に形成されている。そして、洗浄槽２を収納位置に向けて後方に移動させる際に、先ず、各カム部材６１，６２の第１傾斜部６１が各リンク５１，５２の係合部５３に当接して、各リンク５１，５２の後方への揺動によりシール蓋４が開位置から降下し、その後、図４に仮想線で示す如く、各カム部材６１，６２の第２傾斜部６２が各リンク５１，５２の係合部５３に当接した状態で洗浄槽２が収納位置に到達するようにしている。
【００１５】
このように本実施形態では、洗浄槽２が収納位置に到達するときに、各リンク５１，５２の係合部５３に当接するのが、従来例の如く各カム部材６１，６２の傾斜部の前端から前方にのびる水平部ではなく、傾斜部の一部を構成する第２傾斜部６２になるため、洗浄槽２の押し込みに要する操作力を軽減して、操作性を改善できる。また、各リンク５１，５２の組付けのばらつきにより、洗浄槽２の収納位置で各リンク５１，５２の係合部５３に当接する各カム部材６１，６２の第２傾斜部６２の箇所が前後方向に変位しても、第２傾斜部６２の後上り傾斜角度θ２が比較的小さいため、シール蓋４の降下量の変化幅が少なくなり、シール蓋４による洗浄槽２のシール性を確保できる。
【００１６】
ところで、上記実施形態では、各カム部材６１，６２の第２傾斜部６２を直線状傾斜部に形成しているが、図５に示す如く、第２傾斜部６２を、第２傾斜部６２の各箇所の接線のうち後上り傾斜角度が最大の接線の後上り傾斜角度θ３が第１傾斜部６１の後上り傾斜角度θ１よりも小さくなる曲線状傾斜部に形成してもよい。この場合も上記と同様の作用効果が得られる。
【００１７】
尚、図５に示すものでは、第２傾斜部６２を、前方に向かって後上り傾斜角度が次第に減少する曲線状傾斜部に形成し、後上り傾斜角度が最大となる第２傾斜部６２の後端部の接線の後上り傾斜角度θ３が第１傾斜部６１の後上り傾斜角度θ１よりも小さくなるようにしているが、図６に示す如く、第２傾斜部６２を、前方に向かって後上り傾斜角度が次第に増加する曲線状傾斜部に形成することも可能である。この場合、後上り傾斜角度が最大となる第２傾斜部６２の前端部の接線の後上り傾斜角度θ３が第１傾斜部６１の後上り傾斜角度θ１よりも小さくなるようにすればよい。
【００１８】
以上、本発明の実施形態について図面を参照して説明したが、本発明はこれに限定されない。例えば、上記実施形態では、各カム部材６１，６２の第１傾斜部６１を、一定の後上り傾斜角度θ１を持つ直線状傾斜部に形成しているが、後上り傾斜角度が後方に向かって段階的或いは連続的に増加する傾斜部に形成することも可能である。この場合、第１傾斜部６１の最小後上り傾斜角度（第１傾斜部の前端部の後上り傾斜角度）をθ１として、直線状傾斜部から成る第２傾斜部６２の後上り傾斜角度θ２或いは曲線状傾斜部から成る第２傾斜部６２の最大後上り傾斜角度θ３がθ１より小さくなるようにすればよい。
【符号の説明】
【００１９】
１…ハウジング、２…洗浄槽、４…シール蓋、５１，５２…リンク（リンク機構）、５３…係合部、６１，６２…カム部材、６１…第１傾斜部、６２…第２傾斜部。
【図１】
2018117869.tif 000003
【図２】
2018117869.tif 000004
【図３】
2018117869.tif 000005
【図４】
2018117869.tif 000006
【図５】
2018117869.tif 000007
【図６】
2018117869.tif 000008